(57)【特許請求の範囲】
【請求項１】
外部装置と通信可能な表示装置であって、
無線通信手段または有線通信手段である第１の通信手段と、
無線通信手段である第２の通信手段と、
前記第１の通信手段と前記第２の通信手段を制御する制御手段を有し、
前記第２の通信手段は前記第１の通信手段より消費電力が低く、
前記表示装置は、前記第１の通信手段と前記第２の通信手段が有効な第１の待機モードと、前記第２の通信手段が有効な第２の待機モードと、で待機可能で、
前記第１の待機モードで待機している場合、
前記制御手段は、前記外部装置から前記第１の通信手段への通信により命令を受信したとき、他の表示装置の情報を前記第２の通信手段により取得し、前記情報を前記第１の通信手段により前記外部装置に送信し、
前記第２の待機モードで待機している場合、
前記制御手段は、他の表示装置から前記第２の通信手段への通信により命令を受信したとき、前記第２の通信手段により前記表示装置の情報を前記他の表示装置に送信する
ことを特徴とする表示装置。
【請求項２】
前記情報は、設定情報、識別情報、エラー履歴、警告履歴の何れか１つ以上であることを特徴とする請求項１に記載の表示装置。
【請求項３】
前記第１の待機モードで待機している場合、
前記制御手段は、前記外部装置から、前記他の表示装置に対する起動命令を受信可能で、前記起動命令を受信したとき、前記第２の通信手段により前記他の表示装置に起動命令を送信し、
前記第２の待機モードで待機している場合、
前記制御手段は、前記他の表示装置から前記第２の通信手段への通信により前記起動命令を受信したとき、前記表示装置を起動できる
ことを特徴とする請求項１または２に記載の表示装置。
【請求項４】
前記第１の待機モードで待機している場合、
前記制御手段は、前記外部装置から、前記他の表示装置に対する設定情報を受信可能で、前記設定情報を受信したとき、前記第２の通信手段により前記他の表示装置に前記設定情報を送信し、
前記第２の待機モードで待機している場合、
前記制御手段は、前記他の表示装置から前記第２の通信手段への通信により前記設定情報を受信したとき、前記設定情報により前記表示装置の設定を変更できる
ことを特徴とする請求項１乃至３の何れか一項に記載の表示装置。
【請求項５】
前記第２の待機モードで待機している場合、
前記制御手段は、前記外部装置から前記第２の通信手段への通信により命令を受信したとき、前記第２の通信手段により前記表示装置の情報を前記外部装置または前記他の表示装置に送信する
ことを特徴とする請求項１乃至４の何れか一項に記載の表示装置。
【請求項６】
前記第２の待機モードで待機している場合、
前記制御手段は、前記外部装置から前記第２の通信手段への通信により起動命令を受信したとき、前記表示装置を起動できる
ことを特徴とする請求項１乃至５の何れか一項に記載の表示装置。
【請求項７】
前記第２の待機モードで待機している場合、
前記制御手段は、前記外部装置から前記第２の通信手段への通信により設定情報を受信したとき、前記設定情報により前記表示装置の設定を変更できる
ことを特徴とする請求項１乃至６の何れか一項に記載の表示装置。
【請求項８】
外部装置と通信可能で、無線通信手段または有線通信手段である第１の通信手段と無線通信手段である第２の通信手段とを有する表示装置のコンピュータに、前記第１の通信手段と前記第１の通信手段より消費電力が低い前記第２の通信手段を制御させるコンピュータプログラムであって、
前記コンピュータに、
前記第１の通信手段と前記第２の通信手段が有効な第１の待機モードで待機している場合、
前記外部装置から前記第１の通信手段への通信により命令を受信したとき、他の表示装置の情報を前記第２の通信手段により取得させ、前記情報を前記第１の通信手段により前記外部装置に送信させ、
前記第２の通信手段が有効な第２の待機モードで待機している場合、
他の表示装置から前記第２の通信手段への通信により命令を受信したとき、前記第２の通信手段により前記表示装置の情報を前記他の表示装置に送信させる
ことを特徴とする表示装置制御プログラム。
【発明の詳細な説明】
【技術分野】
【０００１】
本発明は、表示装置に関し、特に待機状態の制御に関するものである。
【背景技術】
【０００２】
表示装置の１つとしてプロジェクタ（投影装置）が知られている。プロジェクタはイベント等に用いられ、大画面で様々な画像が投影される。また、複数のプロジェクタを使用し、１つの画像を分割して大画面で表示したり、１つの画像を重ね合わせて明るく表示したりすることができる。このように複数台のプロジェクタが使用される場合、各プロジェクタを集中管理することで、ユーザーの利便性を向上させることができる。
【０００３】
従来、複数のプロジェクタをネットワークにより１台の専用サーバーコンピュータで遠隔制御、管理する方法が開示されている。（特許文献１）
【０００４】
また、複数のプロジェクタとシステムコントロールサーバがネットワークで接続され、システムコントロールサーバが各プロジェクタの状態を分析してキャリブレーションを行う方法が開示されている。（特許文献２）
【先行技術文献】
【特許文献】
【０００５】
【特許文献１】特開２０１０−１９１９７２号公報
【特許文献２】特開２００４−２０８０２２号公報
【発明の概要】
【発明が解決しようとする課題】
【０００６】
しかしながら、上述の特許文献１、特許文献２に開示された技術では、各ブロジェクタの状態やステータスを確認するために、各プロジェクタが常にサーバーと通信可能な状態にあり、投射していない待機状態であっても消費電力が大きくなっていた。
【０００７】
そこで、本発明の目的は、複数の表示装置を管理することができ、さらに待機状態における消費電力を低減可能な表示装置を提供することである。
【課題を解決するための手段】
【０００８】
上記目的を達成するために、本発明は、外部装置と通信可能な表示装置であって、無線通信手段または有線通信手段である第１の通信手段と、無線通信手段である第２の通信手段と、前記第１の通信手段と前記第２の通信手段を制御する制御手段を有し、前記第２の通信手段は前記第１の通信手段より消費電力が低く、前記表示装置は、前記第１の通信手段と前記第２の通信手段が有効な第１の待機モードと、前記第２の通信手段が有効な第２の待機モードと、で待機可能で、前記第１の待機モードで待機している場合、前記制御手段は、前記外部装置から前記第１の通信手段への通信により命令を受信したとき、他の表示装置の情報を前記第２の通信手段により取得し、前記情報を前記第１の通信手段により前記外部装置に送信し、前記第２の待機モードで待機している場合、前記制御手段は、他の表示装置から前記第２の通信手段への通信により命令を受信したとき、前記第２の通信手段により前記表示装置の情報を前記他の表示装置に送信することを特徴とする。
【発明の効果】
【０００９】
本発明によれば、複数の表示装置を管理することができ、さらに待機状態における消費電力を低減可能な表示装置を提供することができる。
【図面の簡単な説明】
【００１０】
【図１】実施例１における投影システムの全体構成図
【図２】本発明の投影装置の概略構成図
【図３】本発明の投影装置のフローチャート
【図４】実施例２における投影システムの全体構成図
【図５】実施例２における投影装置のフローチャート
【図６】実施例３における投影システムの全体構成図
【図７】実施例４における投影システムの全体構成図
【発明を実施するための形態】
【００１１】
以下に、本発明の好ましい実施の形態を、添付の図面に基づいて詳細に説明する。
【実施例１】
【００１２】
本発明の実施例１について図１から図３を用いて説明する。
【００１３】
図１は本発明の実施例１における投影システム（表示システム）の全体構成図である。投影装置（表示装置）を複数含むことで表示システムを構成可能である。本実施例では、投影装置１００ａ、１００ｂ、１００ｃは、それぞれ投影画像４００ａ、４００ｂ、４００ｃを投影するよう設置され、所謂マルチ投影が可能な状態である。投影装置１００ｄはマルチ投影の準備がなされない状態で設置されている。
【００１４】
図２は、投影装置１００ａの概略構成図である。なお、投影装置１００ｂ、１００ｃ、１００ｄも同一の構成を持っている。
【００１５】
投影部１０１、画像信号入力部１０２、画像信号処理部１０３、記憶部１０４、制御部１０５、画像信号出力部１０６、第１の通信部１０７、第２の通信部１０８、ユーザー操作入力部１０９から構成されている。
【００１６】
画像信号入力部１０２は、制御部１０５からの制御信号に基づいて外部からの画像入力信号が入力され、画像信号処理部１０３、記憶部１０４に入力された画像入力信号を出力する。画像信号処理部１０３は、制御部１０５からの制御信号に基づき画像入力信号に所定の画像処理、例えば画像の明るさやコントラスト、色の濃淡、輪郭強調等の画質調整や画像サイズの拡大、縮小等を行う。記憶部１０４は、制御部１０５が実行するプログラム、画像信号処理部の所定の画像処理の調整パラメータ、画像信号入力部１０２や画像信号処理部１０３からの画像信号等を記憶する。画像信号出力部１０６は、制御部１０５からの制御信号に基づき、画像信号処理部１０３で処理された画像信号や、記憶部１０４に記憶されている画像信号処理部１０３で処理された画像信号をパネル駆動部１１３へ出力する。
【００１７】
第１の通信部１０７は、例えば、ＩＥＥＥ８０２．１１規格に準拠した無線通信用の送受信部である。ＩＥＥＥ８０２．１１規格には、ＩＥＥＥ８０２．１１ｂ／ａ／ｇ／ｎ／ａｃ／ａｄ等、様々な規格があり、ＩＥＥＥ８０２．１１ｎでは、最大通信レートが６００Ｍｂｐｓ、ＩＥＥＥ８０２．１１ａｃでは６．９Ｇｂｐｓと規定されている。後述の第２の通信部と比較して、通信レートは高速であるが、消費電力は数Ｗ前後と大きい。
【００１８】
第２の通信部１０８は、例えば、ＢＬＵＥＴＯＯＴＨ（登録商標）やＺｉｇＢｅｅ（登録商標）等の近距離無線用の送受信部である。ＢＬＵＥＴＯＯＴＨ（登録商標）は通信モードの１つとしてＢＬＵＥＴＯＯＴＨ（登録商標）  ＬＥ（Ｌｏｗ  Ｅｎｅｒｇｙ）があり、通信レートが１Ｍｂｐｓと規定されている。第１の通信部と比較して、通信レートは低速であるが、消費電力は数ｍＷと小さい。本実施例では、第２の通信部１０８をＢＬＵＥＴＯＯＴＨ（登録商標）として説明する。
【００１９】
ユーザー操作入力部１０９は、例えば、リモートコントローラーや投影装置本体に設けられた操作ボタンにより、ユーザーからの操作指示を受信し制御部１０５へ出力する。
【００２０】
投影部１０１は、光源１１０、光源駆動部１１１、液晶パネル１１２、パネル駆動部１１３、投射レンズ１１４、レンズ駆動部１１５から構成されている。
【００２１】
光源１１０は白色光を出力する光源であり、高圧水銀ランプ等が用いられる。光源駆動部１１１は制御部１０５からの制御信号に基づき光源への駆動電力を制御し、光源の点灯、消灯等を行う。光源からの光は不図示のダイクロイックミラーにより、緑（以下Ｇと記載）成分光と赤（以下Ｒと記載）成分光、青（以下Ｂと記載）成分光とに分離される。分離されたＧ、Ｒ、Ｂの各成分光は不図示の偏光ビームスプリッターを通り、液晶パネル１１２を照明する。パネル駆動部１１３は、制御部１０５からの制御信号と、画像信号出力部１０６から出力される画像信号に基づいて、液晶パネル１１２を駆動するための駆動信号を生成する。
【００２２】
Ｇ、Ｂ、Ｒの成分光は各色に対応する液晶パネル１１２により、液晶パネル駆動部１１３からの各色毎の駆動信号に応じて偏光が制御される。偏光が制御された光は、再度、偏光ビームスプリッターに戻り、偏光状態により画像光として不図示のＸプリズムへ供給される光と光源方向へ戻る光とに分離される。
【００２３】
不図示のＸプリズムは、それぞれのＧ、Ｒ、Ｂ成分光を合成し画像光として投射レンズ１１４に供給する。
【００２４】
レンズ駆動部１１４は、制御部１０５からの制御信号に基づき投射レンズのフォーカス、ズーム倍率を調整する。投射レンズ１１４は、供給された合成光を任意の倍率でスクリーン１１６へ投射し画像を表示する。
【００２５】
図２に示す投影装置１００ａ、１００ｂ、１００ｃ、１００ｄは、第１の通信部１０７と第２の通信部１０８が有効な状態で待機可能な第１の待機モードと、第２の通信部１０８が有効な状態で待機可能な第２の待機モードを選択可能である。ここで、本発明では、投影装置に電源は供給されているが、画像の投影が行われていない状態を待機状態と定義する。
【００２６】
投影装置１００ｂは、投影装置１００ｂの制御部１０５により、投影装置１００ｂの第１の通信部１０７と投影装置１００ｂの第２の通信部１０８で通信可能な状態に設定され、第１の待機モードで待機している。つまり、投影装置１００ｂは、投影装置１００ｂの第１の通信部１０７により無線通信のアクセスポイント２００と通信可能（無線通信５００）であり、アクセスポイント２００に有線通信で接続されている外部装置３００（例えばＰＣ）と通信可能な状態にある。
【００２７】
一方、投影装置１００ａ、１００ｃ、１００ｄは、それぞれの制御部１０５により、それぞれの第１の通信部１０７はＯＦＦ（無線通信５００ｘはＯＦＦ）、それぞれの第２の通信部１０８で通信可能な状態に設定され、第２の待機モードで待機している。つまり、投影装置１００ａ、１００ｂ、１００ｃ、１００ｄは、それぞれの第２の通信部１０８により相互に通信可能（近距離無線６００）な状態にある。それぞれの第２の通信部１０８による投影装置間の通信は、第１の待機モードで待機している投影装置１００ｂを中心に構成される。即ち、投影装置１００ｂをそれぞれの第２の通信部１０８による近距離無線通信のマスターとし、それ以外の第２の待機モードで待機している投影装置１００ａ、１００ｃ、１００ｄをスレーブとして近距離無線通信網が構成される。
【００２８】
このように構成することで、第２の待機モードで待機している他の投影装置１００ａ、１００ｃ、１００ｄは、投影装置１００ｂを介して外部装置３００と通信することができる。さらに、消費電力の高い第１の待機モードで待機している投影装置が１台でよく、他の投影装置は消費電力の低い第２の待機モードで待機可能なため、投影システムの待機状態における消費電力を低減することができる。
【００２９】
本実施例の投影システムにおいて、外部装置３００から各投影装置の状態や履歴情報などを取得する場合について、図３のフローチャートを用いて本実施例の制御部１０５の動作を説明する。本処理は、ＣＰＵやＩＣ等のコンピュータとして構成された制御部１０５により、コンピュータプログラムである表示装置制御プログラムに従って実行される。
【００３０】
第１の待機モードで待機している投影装置１００ｂの制御部１０５は、Ｓ１０１〜Ｓ１０６のフローで、第２の待機モード待機している投影装置１００ａ、１００ｃ、１００ｄのそれぞれの制御部１０５は、Ｓ２０１〜Ｓ２０３のフローで動作する。
【００３１】
最初に、Ｓ１０１からＳ１０６のフローを説明する。
【００３２】
Ｓ１０１は、投影装置１００ｂの第１の通信部１０７に外部装置３００からの通信があるか否かを確認するステップである。通信がなかった場合、引き続き、外部装置３００からの通信があるか否かを確認する。通信があった場合、Ｓ１０２へ遷移する。
【００３３】
Ｓ１０２は、受信した通信をデコードし、投影装置１００ｂ以外の他の投影装置への通信か否かを確認する。他の投影装置への通信の場合、Ｓ１０４へ遷移する。他の投影装置への通信ではない場合、Ｓ１０３へ遷移する。
【００３４】
Ｓ１０３は、通信に従った処理を行う。例えば、投影装置の状態や履歴情報などの取得する命令などを受信し、その命令に従い、投影装置１００ｂの状態や履歴情報などを取得する。
【００３５】
Ｓ１０４は、外部装置から指定された第２の待機モードで待機している他の投影装置への通信を、投影装置１００ｂの第２の通信部により送信する。例えば、他の投影装置の状態や履歴情報などの取得する命令などである。
【００３６】
Ｓ１０５は、投影装置１００ｂの第２の通信部により他の投影装置からの通信を確認する。他の投影装置からの通信があった場合、Ｓ１０６へ遷移する。他の投影装置からの通信がない場合、引き続き、他の投影装置からの通信を確認する。
【００３７】
Ｓ１０６は、通信に従った処理を行った結果、即ち、投影装置１００ｂの状態や履歴情報、または、他の投影装置の状態や履歴情報を、第１の通信部１０７により外部装置３００へ通信する。通信が終了したら、Ｓ１０１へ戻る。
【００３８】
次に、Ｓ２０１からＳ２０３のフローを説明する。
【００３９】
Ｓ２０１は、第１の待機モードで待機している近距離無線通信網のマスターとなる投影装置１００ｂからそれぞれの第２の通信部１０８による通信があるか否かを確認するステップである。通信がなかった場合、引き続き、投影装置１００ｂからの通信があるか否かを確認する。通信があった場合、Ｓ２０２へ遷移する。
【００４０】
Ｓ２０２は、それぞれが通信に従った処理を行う。例えば、それぞれの自投影装置の状態や履歴情報などを取得する。
【００４１】
Ｓ２０３は、通信に従った処理を行った結果、即ち、それぞれの自投影装置の状態や履歴情報を、それぞれの第２の通信部により投影装置１００ｂへ通信する。通信が終了したら、Ｓ２０１へ戻る。
【００４２】
以上説明したように、第１の待機モードで待機している投影装置１００ｂは外部装置３００と通信可能で、第２の待機モードで待機している他の投影装置１００ａ、１００ｃ、１００ｄは、投影装置１００ｂを介して外部装置３００と通信することができる。
【００４３】
各投影装置が前述のフローで動作することにより、外部装置３００から各投影装置の状態や履歴情報を取得することができる。これらの情報は、例えば、投影装置で使用されている光源の動作時間、光源または投影画像の明るさ、投影画像の大きさ、投射レンズの投射倍率、投影装置の温度、設定情報、投影装置の識別情報、投影装置で発生したエラー履歴、警告履歴、等である。これらの情報は、データ量としては少ないため、近距離無線により情報を通信しても短時間で送受信することが可能である。
【００４４】
ここで、投影装置に用いられる光源の寿命は、例えば３０００時間前後であり、使用時間に伴い明るさが低減し、最後には点灯しなくなる。マルチ投影を行う場合、投影装置間の投影画像の明るさが同程度であることが好ましく、光源の動作時間や、光源または投影画像の明るさの情報を取得し、投影画像の明るさが同程度であるかを事前に確認することができる。
【００４５】
また、投影装置の温度、設定情報、投影装置の識別情報、投影装置で発生したエラー履歴、警告履歴等の情報を取得することにより、投影装置のメンテナンスの必要性について、起動する前に確認することができる。
【００４６】
このように、各投影装置を起動する前に、外部装置３００から各投影装置の状態を取得することで、これから行うマルチ投影に対し、各投影装置が適切な状態にあるか否かを確認することができる。取得した情報から、何れかの投影装置がマルチ投影に際し適切な状態にない場合、各投影装置を起動せずに投影装置の変更やメンテナンスを行うことができる。例えば、投影装置１００ａが投影装置１００ｂ、１００ｃの特性と異なり、投影装置１００ｄは投影装置１００ｂ、１００ｃと同等である場合、投影の前に投影装置１００ａと投影装置１００ｄを交換することで、マルチ投影の利便性を向上させることができる。
【００４７】
このように投影システムを構成することで、複数の投影装置を管理することができ、さらに待機状態における消費電力を低減することが可能となる。
【００４８】
本実施例では、各投影装置の状態や履歴情報などを取得していたが、起動命令や設定命令など、各投影装置を制御する命令の通信も同様に行うことができる。つまり、投影装置１００ｂは、投影装置１００ａ、１００ｃ、１００ｄに対する起動命令や設定命令を受信した場合、第２の通信部により、投影装置１００ａ、１００ｃ、１００ｄに起動命令や設定命令を送信することができる。投影装置１００ａ、１００ｃ、１００ｄは、投影装置１００ｂから第２の通信部による起動命令や設定命令を受信可能で、命令に応じて投影装置を起動したり、投影装置の設定を変更することができる。
【００４９】
また、複数の投影装置の投射画像を重ねて投影する所謂スタック投影も、各投影装置の状態や履歴情報などを取得することで、投影画像の大きさ、投影位置を事前に確認することができる。
【実施例２】
【００５０】
次に本発明の実施例２について図２から図５を用いて説明する。
【００５１】
図４は投影システムの全体構成図である。投影装置１００ａ、１００ｂは実施例１と同様に図２の構成を持ち、第１の通信部１０７と第２の通信部１０８が有効な状態で待機可能な第１の待機モードと、第２の通信部１０８が有効な状態で待機可能な第２の待機モードを選択可能である。尚、実施例１と同じ動作を行う構成要素については同一の符号とし、その説明を省略する。
【００５２】
実施例１との差異は、複数の投影装置の投射画像を重ねて投影する所謂スタック投影が可能な状態で設置されていること、当初、投影装置１００ａ、１００ｂが第１の待機モードで待機状態にあること、である。
【００５３】
前述のように構成されている投影システムにおいて、図５のフローチャートを用いて本実施例のそれぞれの制御部１０５の動作を説明する。本処理は、実施例１と同様に、制御部１０５により、コンピュータプログラムである表示装置制御プログラムに従って実行される。
【００５４】
Ｓ３０１は、それぞれの第１の通信部１０７、または、それぞれの第２の通信部１０８により、第１の待機モード待機している他の投影装置があるか否かを確認する。ある場合、Ｓ３０２へ遷移し、ない場合Ｓ３０３へ遷移する。
【００５５】
Ｓ３０２は、第１の待機モードで待機している他の投影装置がある、即ち、複数の投影装置が第１の待機モードで待機している状態にあるため、何れの投影装置が第１の待機モードで待機するかを投影装置間で調整する。換言すれば、それぞれの第２の通信部１０８による近距離無線網のマスターとなる投影装置を調整することでもある。
【００５６】
調整は、例えば、既にマスターになっている投影装置が存在した場合、自装置をスレーブに設定する。或いは、予め設定され記憶しているマスター優先度を、第１の待機モードで待機している投影装置間で通信し、そのマスター優先度を確認する。自装置のマスター優先度が高い場合、マスターに設定し、自装置のマスター優先度が低い場合、スレーブに設定してもよい。または、外部装置３００からマスターになる投影装置を指定してもよい。
【００５７】
本実施例においては、投影装置１００ｂのマスター優先度が投影装置１００ａのマスター優先度より高く設定されているとして説明する。即ち、投影装置１００ｂの制御部１０５は、マスターになると調整され、投影装置１００ａの制御部１０５は、スレーブになると調整される。
【００５８】
Ｓ３０３は、自装置がマスターになると調整されたため、自装置がマスターと設定される。本実施例においては投影装置１００ｂの制御部１０５が第２の近距離通信網のマスターとなり第１の待機モードで待機する。この後、図３のＳ１０１へ遷移する。
【００５９】
Ｓ３０５は、自装置がスレーブになると調整されたため、自装置がスレーブと設定される。本実施例においては投影装置１００ａの制御部１０５が第２の近距離通信網のスレーブとなり、Ｓ３０６へ遷移する。
【００６０】
Ｓ３０６は、第２の近距離通信網のスレーブとなるので、待機時において、自装置（本実施例においては投影装置１００ａ）の第１の通信部１０７をＯＦＦにし、図３のＳ２０１へ遷移する。
【００６１】
図４は、投影装置１００ｂがマスターとなり、投影装置１００ａがスレーブになったことを示している。従って、投影装置１００ａは、投影装置１００ｂを介して外部装置３００と通信する。
【００６２】
以上説明したように、複数の投影装置を管理することができ、複数の投影装置が第１の待機モードで待機している場合、投影装置間で第１の待機モードで待機する投影装置の調整を行うことで、さらに待機状態における消費電力を低減することが可能となる。
【実施例３】
【００６３】
次に本発明の実施例３について図２、図３、図６を用いて説明する。
【００６４】
図６は投影システムの全体構成図である。投影装置１００ａ、１００ｂは実施例１と同様に図２の構成を持ち、第１の待機モードと第２の待機モードを選択可能である。投影装置１００ｂは、第１の待機モードで待機し、投影装置１００ａは、第２の待機モードで待機している。尚、実施例１と同じ動作を行う構成要素については同一の符号とし、その説明を省略する。
【００６５】
実施例１との差異は、外部装置３００がそれぞれの第２の通信部１０８と通信可能な通信手段を有し、近距離無線通信範囲内に投影装置が存在する、即ち、それぞれの投影装置と外部装置３００との間で近距離無線通信可能な点である。
【００６６】
前述のように当初、投影装置１００ｂは第１の待機モードで待機している。外部装置３００が、近距離無線通信可能なため、外部装置３００から、投影装置１００ｂに対して、第２の待機モードで待機するように通信する。ここでの通信は、投影装置１００ｂの第１の通信部１０７による無線通信、第２の通信部による近距離無線通信の何れでもよい。このあと、それぞれの投影装置の制御部１０５は、図３の第２の待機モードで待機しているフローに従って動作する。
【００６７】
つまり、外部装置３００が近距離無線網のマスターとなり、全ての投影装置が第２の待機モードで待機可能で、待機時の消費電力を低減することができる。
【００６８】
図６は、投影装置１００ｂが第２の待機モードで待機した状態になったことを示している。
【００６９】
以上説明したように、複数の投影装置を管理する際、外部装置が近距離無線通信を有しており、近距離無線通信が可能な場合、第１の待機モードで待機する投影装置を第２の待機モードにすることで、待機状態における消費電力を低減することが可能となる。
【実施例４】
【００７０】
次に本発明の実施例４について図３、図７を用いて説明する。
【００７１】
図７は投影システムの全体構成図である。投影装置１００ａ、１００ｂ、１００ｃ、１００ｄは実施例１と同様に図２の構成を持ち、第１の待機モードと第２の待機モードを選択可能である。投影装置１００ｂは、第１の待機モードで待機し、投影装置１００ａ、１００ｃ、１００ｄは、第２の待機モードで待機している。尚、実施例１と同じ動作を行う構成要素については同一の符号とし、その説明を省略する。
【００７２】
第１の実施例との差異は、携帯端末７００（第２の外部装置）が存在していることである。携帯端末７００は、表示手段と操作手段、投影装置１００ｂの第１の通信部１０７と通信可能な通信手段とそれぞれの第２の通信部１０８と通信可能な通信の２つの通信手段を有する。携帯端末は、例えば、携帯電話やタブレット端末等である。
【００７３】
それぞれの制御部１０５は、図３のフローに従って動作する。
【００７４】
携帯端末７００は、近距離無線６００により、投影装置１００ｂをマスターとし、投影装置１００ａ、１００ｃ、１００ｄをスレーブとする投影装置間の近距離通信網に加わる。そして、外部装置３００と同様に、各投影装置と通信し、各投影装置の状態または過去の履歴情報を確認することができる。
【００７５】
このように、各投影装置を起動する前に、外部装置３００から各投影装置の状態を取得することで、これから行うスタック投影に対し、各投影装置が適切な状態にあるか否かを確認することができる。取得した情報から、何れかの投影装置がスタック投影に際し適切な状態にない場合、各投影装置を起動せずに投影装置の変更やメンテナンスを行うことができる。
【００７６】
さらに、携帯端末７００から、近距離無線６００により、外部装置３００と同様に、各投影装置の起動や停止命令、及び設定変更等の操作も行うことができる。携帯端末７００からの操作命令は、近距離無線６００のマスターである投影装置１００ｂに送信され、投影装置１００ｂからスレーブである投影装置１００ａ、１００ｃ、１００ｄに送信される。
【００７７】
このように投影システムを構成することで、複数の投影装置を管理することができ、さらに待機状態における消費電力を低減することが可能となる。
【００７８】
以上、本発明の好ましい実施形態について説明したが、本発明はこれらの実施形態に限定されず、その要旨の範囲内で種々の変形及び変更が可能である。
【００７９】
例えば、第１の通信部１０７は無線通信として説明したが、ＩＥＥＥ８０２．３の諸規格で規定されているＥＴＨＥＲＮＥＴ（登録商標）等による有線通信としてもよい。
【００８０】
また、上述の実施形態の機能を実現するコンピュータプログラムを、ネットワーク又は記憶媒体を介してシステム又は装置に供給し、そのシステム又は装置のコンピュータにおける１つ以上のプロセッサーがプログラムを読出し実行する処理でも実現可能である。また、機能を実現する回路（例えば、ＡＳＩＣ）によっても実現可能である。
【産業上の利用可能性】
【００８１】
本発明は、複数の表示装置を管理する際、待機状態における消費電力の低減に有効である。
【符号の説明】
【００８２】
１０５  制御部
１０７  第１の通信部
１０８  第２の通信部
【図１】
0006719946.tif 000002
【図２】
0006719946.tif 000003
【図３】
0006719946.tif 000004
【図４】
0006719946.tif 000005
【図５】
0006719946.tif 000006
【図６】
0006719946.tif 000007
【図７】
0006719946.tif 000008